(57)【要約】【課題】内燃機関の始動時に排気ガス浄化用の触媒床温を増加させる大幅遅角点火の処理のため成層燃焼をさせた際におけるスモークの抑制と、全負荷運転の領域での良好な均質燃焼とを両立して実行可能とする。【解決手段】燃焼室Ｃの天井中央部に燃料の噴射方向を変更可能なインジェクタ１０を配置し、これに隣接して点火プラグ１３を配置し、インジェクタ１０に対して一方の側に吸気バルブ７を配置し、他方の側に排気バルブ９を配置し、ピストン２の頂面に、全負荷運転ときにインジェクタ１０から噴射された第１燃料噴霧１１をガイドするためのタンブル流増強用の第１キャビティ２１と、冷間始動のときにインジェクタ１０から噴射された第２燃料噴霧１２を点火プラグ１３へ向けてガイドする第２キャビティ２２とを設けて構成する。【選択図】        図９
2008157197.tif 000002
【特許請求の範囲】
【請求項１】
燃焼室の天井部分の中央部に配置した、燃料の噴射方向を変更可能なインジェクタと、
前記燃焼室の天井部分に前記インジェクタに隣接して配置した点火プラグと、
前記燃焼室の天井部分における前記インジェクタに対して一方の側に設けられた吸気ポートと、
前記燃焼室の天井部分における前記インジェクタに対して他方の側に設けられた排気ポートと、
前記燃焼室内に面したピストンの頂面に、吸気側から排気側へ向けて凹状の湾曲面に形成した第１キャビティと、
前記ピストンの頂面に、吸気側から排気側へ伸びる中心線に沿うように、前記第１キャビティよりも深い溝状に形成した第２キャビティと、を備え、
少なくとも全負荷運転の領域で運転する際に前記インジェクタから前記第１キャビティへ向けて第１燃料噴霧を噴射し、少なくとも冷間始動の運転を行うときに前記インジェクタから前記第２キャビティへ向けて第２燃料噴霧を噴射することを特徴とする筒内噴射式火花点火内燃機関。
【請求項２】
前記冷間始動の運転を行うため前記インジェクタから前記ピストンの前記第２キャビティへ向けて前記第２燃料噴霧を噴射する場合又は前記全負荷運転の領域で運転するため前記インジェクタから前記ピストンの前記第１キャビティへ向けて前記第１燃料噴霧を噴射する場合に、前記インジェクタから燃料の所要噴射量を複数回に分割して噴射するマルチ噴射を行うことを特徴とする請求項１に記載の筒内噴射式火花点火内燃機関。
【請求項３】
前記インジェクタは、前記第１燃料噴霧を多孔から扇状に噴射すると共に、前記第２燃料噴霧を単数の噴孔から直線状に噴射することを特徴とする請求項１又は請求項２に記載の筒内噴射式火花点火内燃機関。
【請求項４】
前記インジェクタは、前記第１燃料噴霧を吸気行程で噴射し、前記第２燃料噴霧を圧縮行程で噴射することを特徴とする請求項１乃至請求項３の何れか１項に記載の筒内噴射式火花点火内燃機関。
【請求項５】
前記第２キャビティは、前記第２燃料噴霧を点火プラグに向けて反転させるための噴霧反転用湾曲部を有することを特徴とする請求項１又は請求項２に記載の筒内噴射式火花点火内燃機関。
【請求項６】
前記第２キャビティを、前記第２燃料噴霧が当たる範囲に対応した部分に設けることを特徴とする請求項１又は請求項２に記載の筒内噴射式火花点火内燃機関。
【発明の詳細な説明】
【技術分野】
【０００１】
この発明は、運転条件に対応して、均質燃焼又は成層燃焼を選択的に実行可能とした筒内噴射式火花点火内燃機関に関する。
【背景技術】
【０００２】
自動車等に利用される筒内噴射式火花点火内燃機関には、運転条件に対応して２つの燃焼形態をとれるものが提案されている。この２つの燃焼形態は、例えば、圧縮行程時に燃料噴射を行うことで混合気を成層化し空燃比がリーン（酸素過多雰囲気）状態での運転を実現可能とする成層燃焼と、吸気行程時に燃料噴射を行い、十分な混合時間をとることで空燃比がストイキ（理論空燃比）状態での運転を実現可能とする均質燃焼である。
【０００３】
この２つの燃焼形態を行う内燃機関では、全運転条件の中で比較的低負荷および低回転の運転領域では成層燃焼を行い、比較的高負荷および高回転の運転領域では均質燃焼を行うのが一般的である。
【０００４】
従来の内燃機関には、ピストンの冠面に円錐形状の凹部を形成し、吸気ポートから供給された空気で作られるタンブル流が円錐形状の凹部に沿って流れるようにして、タンブル流を維持可能に構成したものが提案されている。すなわち、この内燃機関では、ピストンの冠面に、円錐形状の凹部を形成し、その底面部に溝状のキャビティを形成する。また、この内燃機関では、シリンダヘッドに形成された燃焼室天井部における中央部位に、燃料噴射弁と点火プラグを並べて配置する。
【０００５】
そして、この内燃機関では、燃料噴射弁から一時に噴射した燃料噴霧を、凹部と溝状のキャビティの双方に衝突させることで、凹部および溝状のキャビティのそれぞれの形状に応じた混合気塊を形成する。
【０００６】
この内燃機関では、凹部への燃料噴霧の衝突によって、燃焼室の中心部に負荷に応じた大きさの混合気塊を形成する。また、この内燃機関では、溝状のキャビティへの燃料噴霧の衝突によって、点火プラグ近傍に安定して混合気塊を形成する。これにより、この内燃機関では、安定した点火、燃焼が可能な成層混合気塊を形成できるので、安定した成層燃焼を行うことが可能となる（例えば、特許文献１参照）。
【０００７】
【特許文献１】特開２００６−１８３５９７号公報
【発明の開示】
【発明が解決しようとする課題】
【０００８】
ところで、このような筒内噴射式火花点火内燃機関に対しては、内燃機関の冷間始動時に、この内燃機関から排出される排気ガスを浄化するため設置された触媒の触媒床温を常温から触媒の機能を活性化させる温度まで急速に増加させるための大幅遅角点火の処理を行えるようにしたいという要求がある。
【０００９】
この大幅遅角点火の処理では、内燃機関の圧縮行程における上死点（ＴＤＣ）付近において燃料噴射弁（インジェクタ）から燃料を噴射して、膨張行程で点火して燃料の燃焼エネルギが内燃機関を回転させるために消費されるのを減じ、排気ガスを高温のまま排気ガス浄化触媒へ送給することにより触媒床温を急速に上昇させる。
【００１０】
前述したようなシリンダヘッドに形成した燃焼室天井部における中央部位にインジェクタと点火プラグとを並べて配置した構成の筒内噴射式火花点火内燃機関で大幅遅角点火の処理を行う場合には、良好な成層燃焼を行うことが困難となる場合がある。
【００１１】
これは、この筒内噴射式火花点火内燃機関では、圧縮行程における上死点の付近においてインジェクタから燃料の噴霧を噴射すると、噴霧がピストン頂面にあるキャビティにガイドされて燃焼室の温度の低い内壁面に直接に当たるように流れて燃料の粒が付着する。
【００１２】
その結果、筒内噴射式火花点火内燃機関では、多量の未燃ＨＣ（炭化水素）が発生するばかりでなく、シリンダボア内壁面に付着したまま燃焼せずに残った付着燃料によって潤滑油が希釈されるという問題を生じる。さらに、この場合には、インジェクタから噴射された燃料の全量が適正に燃焼しないので燃焼効率が低下するという問題を生じる。
【００１３】
また、シリンダヘッドの中央部にインジェクタと点火プラグとが配置されている筒内噴射式火花点火内燃機関では、大幅遅角点火の処理を行う場合に、インジェクタから噴射された直後の噴霧燃料に、インジェクタに近接して配置された点火プラグで点火することが考えられる。
【００１４】
しかし、この場合には、インジェクタから点火プラグまでの噴霧飛行距離が極端に短くなる。このため、この筒内噴射式火花点火内燃機関では、噴霧燃料が気化して空気と混合する期間が十分にとれないので、噴霧燃料に多く含まれる液状の燃料の粒子で点火プラグが濡れてくすぶるようになったり、リッチな状態の噴霧燃料に点火して未燃の炭化水素（ＨＣ）やスモークを発生させたりするおそれがある。
【００１５】
本発明は上述した点に鑑み、内燃機関の始動時に排気ガス浄化触媒の触媒床温を急速に増加させるための大幅遅角点火の処理を行って成層燃焼をさせた際にスモークが発生することを抑制できると共に、少なくとも全負荷運転の領域で均質燃焼を良好に実行可能とした筒内噴射式火花点火内燃機関を提供することを目的とする。
【課題を解決するための手段】
【００１６】
第１に、本発明の筒内噴射式火花点火内燃機関は、燃焼室の天井部分の中央部に配置した、燃料の噴射方向を変更可能なインジェクタと、燃焼室の天井部分にインジェクタに隣接して配置した点火プラグと、燃焼室の天井部分におけるインジェクタに対して一方の側に設けられた吸気ポートと、燃焼室の天井部分におけるインジェクタに対して他方の側に設けられた排気ポートと、燃焼室内に面したピストンの頂面に、吸気側から排気側へ向けて凹状の湾曲面に形成した第１キャビティと、ピストンの頂面に、吸気側から排気側へ伸びる中心線に沿うように、第１キャビティよりも深い溝状に形成した第２キャビティと、を備え、少なくとも全負荷運転の領域で運転する際にインジェクタから第１キャビティへ向けて第１燃料噴霧を噴射し、少なくとも冷間始動の運転を行うときにインジェクタから第２キャビティへ向けて第２燃料噴霧を噴射することを特徴とする。
【００１７】
上述のように構成することにより、全負荷運転の領域で運転する際にインジェクタから第１キャビティへ向けて第１燃料噴霧を噴射して、吸気ポートから燃焼室内に急速に流れ込む空気の流れと、インジェクタから噴射される第１燃料噴霧の貫徹力とが相俟って、この空気の流れが加速され強められる。このように強められた空気の流れが圧縮行程で長く続き、最後に崩壊して乱れが多数できた状態において、均質な混合気に点火する。これにより、この筒内噴射式火花点火内燃機関では、火炎が伝播して燃焼室の内部全体での燃焼を比較的に短い期間で行うように燃焼速度を速めて燃焼効率を向上し、全負荷運転の領域でのノッキング特性を改善することができる。さらに、内燃機関の冷間始動時に排気ガス浄化触媒の触媒床温を急速に増加させるための大幅遅角点火の処理を行う際に、インジェクタから噴射した第２燃料噴霧をピストンの第２キャビティで反転させて点火プラグへ導くことにより、第２燃料噴霧に含まれる液状の燃料の粒子が燃焼室の内壁面に付着して未燃のＨＣやスモークの発生を抑制できると共に、点火プラグにかかるように成層混合気を集めた状態で点火するので点火プラグが燃料で濡れてくすぶることを抑制できる。
【００１８】
第２に、本発明の筒内噴射式火花点火内燃機関は、冷間始動の運転を行うためインジェクタからピストンの第２キャビティへ向けて第２燃料噴霧を噴射する場合又は全負荷運転の領域で運転するためインジェクタからピストンの第１キャビティへ向けて第１燃料噴霧を噴射する場合に、インジェクタから燃料の所要噴射量を複数回に分割して噴射するマルチ噴射を行うことを特徴とする。
【００１９】
上述のように構成することにより、分割された短い期間でインジェクタから第２燃料噴霧が分割された少ない噴射量で燃焼室内に断続的に噴射されることになるので、燃料の噴霧のペネトレーション（貫徹力）を低く抑えることができる。これにより第２キャビティにガイドされて点火プラグの近傍に至るまでの間に燃焼室におけるピストンの頂面及び燃焼室の内壁面に燃料が付着することを減少させることができる。よって、未燃ＨＣ（炭化水素）の発生を抑制すると共に、スモークの発生を抑制できる。また、全負荷運転の領域で運転を行う際にマルチ噴射を行う場合には、インジェクタから第１燃料噴霧が燃焼室内に断続的に噴射される。よって、この場合には、先に噴射された第１燃料噴霧の塊と後に噴射された第１燃料噴霧の塊との間に空気が挟まれる状態で巻き込まれ、ピストンの第１キャビティにガイドされてタンブル流を強化することとなる。このため、燃焼室内では、各第１燃料噴霧の塊と空気との混合が進み、気化した燃料と空気との混合状態をより均質にしてノッキング特性を改善することができる。
第３に、本発明の筒内噴射式火花点火内燃機関は、インジェクタが、第１燃料噴霧を多孔から扇状に噴射すると共に、第２燃料噴霧を単数の噴孔から直線状に噴射することを特徴とする。
第４に、本発明の筒内噴射式火花点火内燃機関は、インジェクタが、第１燃料噴霧を吸気行程で噴射し、第２燃料噴霧を圧縮行程で噴射することを特徴とする。
第５に、本発明の筒内噴射式火花点火内燃機関は、第２キャビティが、第２燃料噴霧を点火プラグに向けて反転させるための噴霧反転用湾曲部を有することを特徴とする。
第６に、本発明の筒内噴射式火花点火内燃機関は、第２キャビティを、第２燃料噴霧が当たる範囲に対応した部分に設けることを特徴とする。
【発明の効果】
【００２０】
本発明の筒内噴射式火花点火内燃機関によれば、内燃機関の始動時に排気ガス浄化触媒の触媒床温を急速に増加させるための大幅遅角点火の処理を行って成層燃焼をさせた際にスモークが発生することを抑制できると共に、少なくとも全負荷運転の領域で均質燃焼を行うことにより燃焼効率を向上できるという効果がある。
【発明を実施するための最良の形態】
【００２１】
〔第１実施の形態〕
本発明の筒内噴射式火花点火内燃機関Ｅに関する第１実施の形態について、図１乃至図１３により説明する。
【００２２】
図１は、筒内噴射式火花点火内燃機関Ｅにおける単一の気筒の要部を取り出して示す断面概略構成図である。なお、この筒内噴射式火花点火内燃機関Ｅは、多気筒の内燃機関又は単気筒の内燃機関として構成することができる。
【００２３】
この筒内噴射式火花点火内燃機関Ｅは、シリンダヘッド４、シリンダブロック３及びピストン２を備える。このシリンダヘッド４とシリンダブロック３とは、図示しないヘッドガスケットを介してボルト等で締結されて一体的に組み付けられる。
【００２４】
このピストン２は、シリンダブロック３に形成されたシリンダボア１内に移動自在に支持されている。ピストン２は、コネクティングロッド（図示せず）を介してクランクシャフトに連結されることで往復移動可能となっている。
【００２５】
このように構成した筒内噴射式火花点火内燃機関Ｅでは、シリンダヘッド４の凹部５の内壁面と、シリンダボア１の内壁面と、ピストン２の頂面（冠面）とで囲まれた空間によって、燃焼室Ｃを構成する。
【００２６】
この燃焼室Ｃは、いわゆるペントルーフ型に形成する。すなわち、燃焼室Ｃのペントルーフ型の燃焼室の天井部分（シリンダヘッド４の内壁面の凹部５）は、縦断面視で鈍角の二等辺三角形となるような２つの斜面部を有する切妻屋根形状に形成する。
【００２７】
図１に示すように、燃焼室Ｃの一方の斜面部には、シリンダヘッド４に設けられた空気吸入用の通路である吸気ポート６の端部を開口させる開口部分６ａを形成する。また、吸気ポート６の開口部分６ａには、開口部分６ａを開放又は遮断するための吸気バルブ７を装着する。吸気バルブ７は、図示しない動弁装置によって操作されることにより、開口部分６ａを開放又は遮断する動作を行う。
【００２８】
また、燃焼室Ｃの他方の斜面部には、シリンダヘッド４に設けられた排気ガス排出用の通路である排気ポート８の端部を開口させる開口部分８ａを形成する。排気ポート８の開口部分８ａには、開口部分８ａを開放又は遮断するための排気バルブ９をそれぞれ装着する。排気バルブ９は、動弁装置によって操作されることにより、開口部分８ａを開放又は遮断する動作を行う。
【００２９】
すなわち、この筒内噴射式火花点火内燃機関Ｅでは、吸気バルブ７と、排気バルブ９とが動弁装置によって所定のタイミングで上下移動することで、吸気ポート６と排気ポート８を開閉して吸気ポート６と燃焼室Ｃを連通し又は燃焼室Ｃと排気ポート８とを連通する動作を行う。なお、吸気ポート６には、インテークマニホールドを介して吸気管が連結される。一方、排気ポート８には、エギゾーストマニホールドを介して排気管が連結されている。
【００３０】
燃焼室Ｃのペントルーフ型の燃焼室の天井部分であるシリンダヘッド４の内壁面の凹部５には、その中央から排気バルブ９側に偏芯した所定位置に点火プラグ１３を配置する。この点火プラグ１３は、その下端部がシリンダボア１の中心線Ｈ方向に向くよう傾斜して、一方の端部に設けた着火部である電極部が燃焼室Ｃ内に若干突出する状態で露呈するように設置する。
【００３１】
この点火プラグ１３は、内燃機関制御システムで制御されるプラグ駆動回路から所要の点火時期に駆動電流が供給されて、所要の点火エネルギで２つの電極間にアークを飛ばして着火させるように構成する。
【００３２】
燃焼室Ｃのペントルーフ型の燃焼室の天井中央部（シリンダヘッド４の内壁面の凹部５におけるシリンダボア１の中心線Ｈ上の位置）には、点火プラグ１３と対向するように燃料噴射弁であるインジェクタ１０を配置する。このインジェクタ１０は、その先端部を燃焼室Ｃ内に露呈させるように配置する。
【００３３】
また、このインジェクタ１０は、燃料供給系に接続される。この燃料供給系は、燃料をインジェクタ１０によって燃焼室Ｃ内へ直接噴射させるように構成する。すなわち、この燃料供給系では、予め燃料タンクに貯留されている燃料をフィードポンプで吸い上げて燃料流路を通し高圧燃料ポンプへ送出する。さらに、高圧燃料ポンプは、送液されて来た燃料を所定の燃圧となるように加圧し高圧燃料流路を通して、燃焼室Ｃに設けたインジェクタ１０へ分配するためのデリバリパイプへ送出する。デリバリパイプは、燃料を各燃焼室Ｃに設けたインジェクタ１０へ所定の燃圧（燃料噴射圧力）で供給する。インジェクタ１０は、デリバリパイプから供給された燃料を燃焼室Ｃ内に直接噴射する。
【００３４】
この筒内噴射式火花点火内燃機関Ｅでは、制御装置であるＥＣＵ（Ｅｌｅｃｔｒｏｎｉｃ  Ｃｏｎｔｒｏｌ  Ｕｎｉｔ）２４によって、インジェクタ１０の燃料噴射タイミングや点火プラグ１３の点火時期などを制御可能に構成する。ＥＣＵ２４は、検出した吸入空気量、スロットル開度（またはアクセル開度）、エンジン回転数などのエンジン運転状態に基づいて燃料噴射量、噴射時期（開弁時間）、点火時期などを決定している。この筒内直接噴射式内燃機関では、エンジン回転数とスロットル開度とに基づいて燃料噴射モードを決定している。例えば、内燃機関の中・低負荷領域では、主に圧縮行程時に燃料を噴射してリーンな空燃比で成層燃焼を行うことが可能である。また、内燃機関の高負荷領域では、主に吸気行程時、圧縮行程時に燃料を噴射して均質燃焼を行うことが可能である。
【００３５】
この筒内噴射式火花点火内燃機関Ｅでは、燃焼室Ｃにおけるペントルーフ型の燃焼室の天井中央部に装着したインジェクタ１０の先端部が、シリンダボア１の中心線Ｈ上に位置するように配置する。
【００３６】
このインジェクタ１０は、全負荷運転を含む通常運転時に燃料を多孔（６個の噴孔）から扇状に噴射する噴霧状態である第１燃料噴霧１１を実行可能とすると共に、冷間始動時（大幅遅角点火時）に単数の噴孔から燃料が直線状に噴射される噴霧状態である第２燃料噴霧１２を実行可能に構成する。
【００３７】
図７、図８、図１１及び図１２に示すように、このインジェクタ１０は、その先端部分を二重構造の外開弁として構成する。このため、インジェクタ１０は、その先端部分を、大径の円筒形状に形成したホルダ１４と、中径の円筒形状に形成した第１ニードル弁１５と、小径の円柱形状に形成した第２ニードル弁１６とを同芯となるように装着して構成する。
【００３８】
図１１及び図１２に示すように、このインジェクタ１０では、中径の円筒形状に形成した第１ニードル弁１５と、その内側に配置される小径の円柱形状に形成した第２ニードル弁１６とを軸方向に沿って相対的に移動操作可能に構成する。これと共に、第１ニードル弁１５と第２ニードル弁１６との間には、リング形となる所定間隔の隙間として構成した第２燃料通路１９を設ける。
【００３９】
さらに、第１ニードル弁１５の断面円環形の先端における吸気側から排気側に向いた直径の線上には、第２燃料通路１９を通じて送られて来た燃料を噴射するための第２噴孔２０を設ける。
【００４０】
この第２噴孔２０は、第１ニードル弁１５の先端内周部に断面三角形状の切欠凹部を形成すると共に第２ニードル弁１６の先端外周部に断面三角形状の突起を形成し、第１ニードル弁１５の断面三角形状の切欠部斜面に第２ニードル弁１６の突起の斜面が密接可能なように構成する。
【００４１】
すなわち、この第２噴孔２０では、第１ニードル弁１５の切欠部斜面と第２ニードル弁１６の突起の斜面が密接して燃料漏れを生じないようにノズルが閉じた状態となり、第１ニードル弁１５の切欠部斜面と第２ニードル弁１６の突起の斜面が離間してノズルが開いた状態となる。
【００４２】
また、この第２噴孔２０では、第２燃料噴霧１２が圧縮行程における上死点（ＴＤＣ）付近にあるピストン２の頂面の所定部所に当たるように、ホルダ１４の切欠部斜面と第１ニードル弁１５の突起の斜面との角度を設定する。さらに図１２に示すように、この第２噴孔２０では、第２燃料噴霧１２の噴射方向が第１ニードル弁１５の断面円環形の先端における吸気側から排気側に向いた直径の延長線に沿うように構成する。
【００４３】
図７及び図８に示すように、このインジェクタ１０では、大径の円筒形のホルダ１４と、その内側に配置される中径の円筒形の第１ニードル弁１５とを、軸方向に沿って相対的に移動操作可能に構成する。これと共に、ホルダ１４と第１ニードル弁１５との間には、リング形となる所定間隔の隙間として構成した第１燃料通路１８を設ける。さらに、ホルダ１４と第１ニードル弁１５との先端の環状部分における所定６箇所には、第１燃料通路１８を通じて送られて来た燃料を噴射するための第１噴孔１７を設ける。
【００４４】
この第１噴孔１７は、ホルダ１４の先端内周部に断面三角形状の切欠凹部を形成すると共に第１ニードル弁１５の先端外周部に断面三角形状の突起を形成し、ホルダ１４の断面三角形状の切欠部斜面に第１ニードル弁１５の突起の斜面が密接可能なように構成する。
【００４５】
すなわち、この第１噴孔１７では、ホルダ１４の切欠部斜面と第１ニードル弁１５の突起の斜面が密接して燃料漏れを生じないようにノズルが閉じた状態なり、ホルダ１４の切欠部斜面と第１ニードル弁１５の突起の斜面が離間してノズルが開いた状態となる。
【００４６】
また、この第１噴孔１７は、図５に示すように、吸気工程の下死点（ＢＤＣ）付近の所要タイミングでノズルが開いて噴射した第１燃料噴霧１１の飛び出す方向が、燃焼室Ｃ内で生じるタンブル流の流れに沿うように方向を定めてタンブル流を増強できるように、ホルダ１４の切欠部斜面と第１ニードル弁１５の突起の斜面との角度を設定する。
【００４７】
さらに図８に示すように、このインジェクタ１０では、ホルダ１４と第１ニードル弁１５との先端の環状部分における排気側に向く所定範囲に、６個の第１噴孔１７を配置する。これら６個の第１噴孔１７は、２組に分けて、断面円環形のホルダ１４における吸気側から排気側に向いた直径に対して、対称となる位置に配置する。
【００４８】
すなわち、このインジェクタ１０では、断面円環形のホルダ１４における吸気側から排気側に向いた直径の線に沿った方向へ第１燃料噴霧１１が噴射される範囲(図１２に図示)を設定する。そして、第１燃料噴霧１１が噴射される範囲の両側におけるインジェクタ１０の中心線から扇形に広がる範囲に、それぞれ３本の第２燃料噴霧１２を放射線方向に噴射するよう構成する。なお、このインジェクタ１０は、第２噴孔２０の両側に、それぞれ単数又は複数の第１噴孔１７を等間隔で配置して構成しても良い。
【００４９】
また図示しないが、このインジェクタ１０では、第１ニードル弁１５をスプリングにより図７に向かって上方に付勢することによって、第１噴孔１７のホルダ１４の断面三角形状の切欠部斜面に第１ニードル弁１５の突起の斜面を圧接して密接状態とすることにより、第１噴孔１７を閉止する。
【００５０】
一方、第２ニードル弁１６は、スプリングにより図７に向かって上方に付勢することによって、第１ニードル弁１５の断面三角形状の切欠部斜面に第２ニードル弁１６の突起の斜面を圧接して密接状態とすることにより、第２噴孔２０を閉止する。
【００５１】
このインジェクタ１０では、第１ニードル弁１５をスプリングの付勢力に抗して図７に向かって下方に移動させる電磁コイルを設け、この電磁コイルに通電することによって、第１噴孔１７を開放し、図８に示すように６本の第１燃料噴霧１１を噴射するように構成する。
【００５２】
また、このインジェクタ１０では、第２ニードル弁１６をスプリングの付勢力に抗して図７に向かって下方に移動させる電磁コイルを設け、この電磁コイルに通電することによって、第２噴孔２０を開放し、図１１に示すように１本の第２燃料噴霧１２を噴射するように構成する。
【００５３】
図１乃至図４に示すように、この筒内噴射式火花点火内燃機関Ｅでは、ピストン２の頂面に、インジェクタ１０から噴射される第１燃料噴霧１１に対応した第１キャビティ２１と、第２燃料噴霧１２に対応した第２キャビティ２２とを設ける。
【００５４】
この第２キャビティ２２は、ピストン２における吸気側から排気側に向いた直径の線に沿う縦断面で見たときに略長円形の凹部となるように形成する。すなわち、第２燃料噴霧１２と同じ方向に延びる深い長溝状に形成する。
【００５５】
図９、図１０に示すように、第２キャビティ２２における排気側に当たる部分には、第２燃料噴霧１２の噴霧反転用湾曲部２２Ａを形成する。この噴霧反転用湾曲部２２Ａは、大幅遅角点火を行う際に、ピストン２が圧縮行程における上死点（ＴＤＣ）近くの所定位置にあるとき、インジェクタ１０から噴射された第２燃料噴霧１２を点火プラグ１３の周囲に成層混合気層（成層混合気層の塊）をつくるように反転させられる曲率の湾曲部に形成する。
【００５６】
この噴霧反転用湾曲部２２Ａは、１本の第２燃料噴霧１２だけを反転させて点火プラグ１３の近傍に燃料の噴霧を集めるため、第２燃料噴霧１２の横幅（噴射方向に直交する方向の幅）程度の幅に形成する。またこの噴霧反転用湾曲部２２Ａは、第２燃料噴霧１２が第１キャビティ２１側へ流出しないようにガイドするため、第１キャビティ２１の底面より深い底面となるように形成された深溝状に形成する。すなわち、このピストン２では、その頂面において、最も高く突出するガイド突部２３の先端より、第１キャビティ２１の底面が低くなり、この第１キャビティ２１の底面より第２キャビティ２２の底面が低くなるように構成する。
【００５７】
また、この噴霧反転用湾曲部２２Ａは、その排気側の端部が、ピストン２の外周面から所定距離離間させた位置となるように形成し、第２燃料噴霧１２が噴霧反転用湾曲部２２Ａにガイドされてシリンダボア１の内壁面に直接当たらない方向に向けて反転されるように構成する。
【００５８】
このように構成した噴霧反転用湾曲部２２Ａでは、点火プラグ１３の周囲に着火性の良い最適な成層混合気を形成できると共に、第２燃料噴霧１２がシリンダブロック３のシリンダ穴の内壁面に付着して燃焼せずに残るようなことを抑制できる。
【００５９】
なお、前述した第１実施の形態では、第２キャビティ２２をピストン２の頂面における直径方向に延びる長溝状に形成したものについて説明したが、これを例えば図１３に示すように構成しても良い。
この場合には、ピストン２の頂面に形成する第２キャビティ２２Ｂを、インジェクタ１０から噴射された第２燃料噴霧１２をガイドするための部分だけを凹部に形成した噴霧反転用の部分的な湾曲凹部形状に形成する。すなわち、この第２キャビティ２２Ｂでは、ピストン２の頂面における第２燃料噴霧１２が当たる範囲だけに対応した部分（排気側の所定範囲）を断面Ｕ字状に凹ませた形状に形成する。
【００６０】
このように構成した第２キャビティ２２Ｂでは、第２燃料噴霧１２から排気側に向けて斜めに噴射された第２燃料噴霧１２が断面Ｕ字状の第２キャビティ２２Ｂにガイドされたその略全量が点火プラグ１３側へ反転されるようにガイドできる。なお、第２キャビティ２２が吸気側から排気弁側へ向けたピストン２の直径方向に長く形成されている場合には、第２燃料噴霧１２が排気側へ反転されるものの他に、一部が吸気側に分岐して流れる場合がある。
【００６１】
図１乃至図４に示すように、ピストン２の頂面に形成するインジェクタ１０から噴射される第１燃料噴霧１１をガイドするように対応した第１キャビティ２１は、第２キャビティ２２の両側に一対形成する。これら一対の第１キャビティ２１は、第２キャビティ２２の長手方向の中心線に対して左右対称に形成する。
【００６２】
これら一対の第１キャビティ２１は、それぞれ平面で見たときに略長方形で、縦断面が凹状の湾曲面となるように形成する。すなわち、この第１キャビティ２１は、燃焼室Ｃ内に面したピストン２の頂面に、吸気側から排気側へ向けて縦断面が凹状の緩い湾曲面を構成するように形成する。さらに一対の第１キャビティ２１における各ピストン２の外周面側には、それぞれ湾曲して折り返すように形成したガイド突部２３を設ける。
【００６３】
これら２個の第１キャビティ２１は、それぞれが図６、図７、図８に示すように、３本一組の第１燃料噴霧１１がタンブル流に乗って回る流動状態を長引かせるようにガイドして第１燃料噴霧１１を均質に混合させるように構成する。なお、この２個の第１キャビティ２１は、その間に第２キャビティ２２が形成されているが、インジェクタ１０が第２キャビティ２２を避けるように第２燃料噴霧１２の噴射範囲を外してその両側に第１燃料噴霧１１を噴射する。
【００６４】
よって、このピストン２の頂面に形成した第１キャビティ２１及び第２キャビティ２２の構成によれば、第１燃料噴霧１１が第２キャビティ２２にガイドされて燃焼室Ｃ内にできるタンブル流を阻害しないようにできる。
【００６５】
次に、上述のように構成した筒内噴射式火花点火内燃機関Ｅにおけるインジェクタ１０と、ピストン２の頂面に形成した第１キャビティ２１及び第２キャビティ２２とに関わる作用及び動作について説明する。
【００６６】
この筒内噴射式火花点火内燃機関Ｅでは、その冷間始動時に、この筒内噴射式火花点火内燃機関Ｅから排出される排気ガスを浄化するため設置された触媒の触媒床温を常温から触媒の機能を活性化させる温度まで急速に増加させるために、いわゆる大幅遅角点火の処理を行う。
【００６７】
この筒内噴射式火花点火内燃機関Ｅで大幅遅角点火の処理を行うときには、図９に示すように、筒内噴射式火花点火内燃機関Ｅの圧縮行程における上死点（ＴＤＣ）付近において、インジェクタ１０からピストン２の第２キャビティ２２へ向けて第２燃料噴霧１２を噴射させる。
【００６８】
すると、シリンダヘッド４の燃焼室Ｃの天井部分の中央部位に配置したインジェクタ１０から噴射された第２燃料噴霧１２が、ピストン２の頂面の第２キャビティ２２によって反転されて点火プラグ１３の位置へ戻される。すなわち、この動作では、第２燃料噴霧１２が第２キャビティ２２に向けて噴射されて凹状に湾曲した曲面にガイドされて反転し、周囲の空気を巻き込んで濃い混合気塊となって点火プラグ１３側へ集まり、点火プラグ１３の電極部分にかかる良好な成層混合気を形成できる。なお、第２燃料噴霧１２は、第２キャビティ２２にガイドされて反転するときに、燃焼室Ｃの内壁面に接触しないよう離れて流れるので、第２燃料噴霧１２に含まれた燃料の粒が燃焼室Ｃの内壁面に付着し未燃の炭化水素（ＨＣ）やスモークが発生することを抑制できる。
【００６９】
よって、この筒内噴射式火花点火内燃機関Ｅでは、上述のようにして、点火プラグ１３の電極部分の周辺に着火性の良い最適な混合気を形成した状態で、膨張行程で点火プラグ１３により点火して良好に燃焼させることができる。この場合には、燃料の燃焼エネルギが筒内噴射式火花点火内燃機関Ｅを回転させるために消費されるのが減じられて排気ガスを高温のまま排気ガス浄化触媒へ送給できるので、触媒床温を急速に上昇させることができる。
【００７０】
次に、この筒内噴射式火花点火内燃機関Ｅで、高負荷高回転となる全負荷運転（ＷＯＴ）の領域で運転を行う時には、吸気行程で開いた吸気バルブ７から燃焼室Ｃ内に急速に流れ込む空気の流れと、インジェクタ１０から噴射される第１燃料噴霧１１の貫徹力とが相俟って加速され強められて強いタンブル流を形成できる。
【００７１】
よって、この筒内噴射式火花点火内燃機関Ｅでは、このように強められたタンブル流が圧縮行程で長く続き、最後にこのタンブル流が崩壊して乱れが多数できた状態において、均質な混合気に点火プラグ１３で点火する。これにより、この筒内噴射式火花点火内燃機関Ｅでは、火炎が伝播して燃焼室Ｃの内部全体での燃焼を比較的に短い期間で行うように燃焼速度を速めて燃焼効率を向上し、全負荷運転の領域でのノッキング特性を改善することができる。
【００７２】
〔第２実施の形態〕
次に、本発明の筒内噴射式火花点火内燃機関Ｅに関する第２実施の形態について、図１４乃至図１６により説明する。
【００７３】
本第２実施の形態は、ピストン２の頂面に第１キャビティ２１と第２キャビティ２２とを形成した筒内噴射式火花点火内燃機関Ｅにおいて、インジェクタ１０から燃料の同一噴射量を複数回に分割して噴射するマルチ噴射を行うものである。
【００７４】
図１４及び図１５に示すように、筒内噴射式火花点火内燃機関Ｅにおいて全負荷運転又は通常の運転の領域で運転する際にマルチ噴射を行う場合には、例えば図１４のマルチ噴射ダイアグラムに示すタイミングで５回に分けて所要量の燃料を噴射する。このマルチ噴射を行う場合には、等間隔で５回の噴射を行う。すなわち、このマルチ噴射を行う場合には、５回に分割した各噴射動作の間に一定の噴射休止時間を設けて所要量の燃料を噴射する。なお、マルチ噴射では、噴射休止時間を異ならせるように設定しても良い。
【００７５】
この図１４のマルチ噴射ダイアグラムに示すマルチ噴射では、クランク角度が吸気行程の下死点前（ＢＢＤＣ）の所定クランク角度でマルチ噴射の動作を完了するように、マルチ噴射の動作全体のタイミングを設定する。
【００７６】
これにより、このマルチ噴射では、吸気行程の下死点前（ＢＢＤＣ）の所定クランク角度でのマルチ噴射完了時を基準とし、この時点より燃料を所要量噴射する時間と４回の噴射休止時間とを加算した時間だけ前となる噴射開始タイミングに相当するクランク角度で、マルチ噴射を開始する。また、基準となるマルチ噴射完了時のクランク角度は、この時点にインジェクタ１０から燃料を噴射する動作を完了したときに、点火時期までに燃料の噴霧が燃焼室Ｃ内で適切に燃焼できる状態に気化されるという条件に基づいて設定することができる。
【００７７】
なお、筒内噴射式火花点火内燃機関Ｅで１回の噴射動作で所要全量の燃料を噴射する通常噴射の場合には、吸気行程の下死点前（ＢＢＤＣ）の所定クランク角度での通常噴射完了時を基準とし、この時点より燃料を所要量噴射する時間だけ前となる噴射開始タイミングに相当するクランク角度で、通常噴射を開始する。
【００７８】
図１５に示すように、筒内噴射式火花点火内燃機関Ｅにおいて全負荷運転又は通常の運転の領域で運転を行う際にマルチ噴射を行う場合には、インジェクタ１０から第１燃料噴霧１１が燃焼室Ｃ内に断続的に噴射される。よって、この場合には、先に噴射された第１燃料噴霧１１の塊と後に噴射された第１燃料噴霧１１の塊との間に空気が挟まれる状態で巻き込まれ、ピストン２の第１キャビティ２１にガイドされてタンブル流を強化することとなる。このため、燃焼室Ｃ内では、各第１燃料噴霧１１の塊と空気との混合が進み、気化した燃料と空気との混合状態をより均質にしてノッキング特性を改善することができる。
【００７９】
さらに、このマルチ噴射を行う場合には、燃焼室Ｃ内で発生しているタンブル流に向けて断続的に噴射された各第１燃料噴霧１１が、それぞれの間にタンブル流をつくっている空気を挟み込みながら第１キャビティ２１にガイドされて進むことにより、タンブル流を増速させる効果を増加させることができる。これにより筒内噴射式火花点火内燃機関Ｅでは、増速されて強化されたタンブル流が崩壊したときに混合気に生じる乱れを増加させた状態で点火することにより燃焼速度を速めて燃焼効率を向上できる。なお、この筒内噴射式火花点火内燃機関Ｅでは、低回転低負荷の運転時（例えば、いわゆるパーシャルの運転時）に、インジェクタ１０の第２噴孔２０から第２燃料噴霧１２を噴射し、第２キャビティ２２で点火プラグ１３へ向けて反転させて成層燃焼を行うようにすることも可能である。
【００８０】
次に、筒内噴射式火花点火内燃機関Ｅにおいて冷間始動時における大幅遅角点火で運転する際にマルチ噴射を行う場合には、例えば図１４のマルチ噴射ダイアグラムに示すタイミングで３回に分けて冷間始動に必要な所要量の燃料を噴射する。このマルチ噴射を行う場合には、等間隔で３回の噴射を行う。すなわち、このマルチ噴射を行う場合には、３回に分割した各噴射動作の間に一定の噴射休止時間を設けて冷間始動時に必要な噴射量の燃料を噴射する。なお、マルチ噴射では、噴射休止時間を異ならせるように設定しても良い。
【００８１】
この図１４のマルチ噴射ダイアグラムに示す冷間始動時のマルチ噴射では、クランク角度が圧縮行程の上死点前（ＢＴＤＣ）の所定クランク角度でマルチ噴射の動作を完了するように、マルチ噴射の動作全体のタイミングを設定する。
【００８２】
これにより、このマルチ噴射では、圧縮行程の上死点前（ＢＴＤＣ）の所定クランク角度でのマルチ噴射完了時を基準とし、この時点より燃料を所要量噴射する時間と２回の噴射休止時間とを加算した時間だけ前となる噴射開始タイミングに相当するクランク角度で、マルチ噴射を開始する。また、基準となるマルチ噴射完了時のクランク角度は、この時点にインジェクタ１０から燃料を噴射する動作を完了したときに、点火時期までに燃料の噴霧が燃焼室Ｃ内で燃焼可能な状態まで気化されるという条件に基づいて設定することができる。
【００８３】
なお、筒内噴射式火花点火内燃機関Ｅで１回の噴射動作で冷間始動時における所要全量の燃料を噴射する場合には、圧縮行程の上死点前（ＢＴＤＣ）の所定クランク角度での冷間始動の噴射完了時を基準とし、この時点より燃料を所要量噴射する時間だけ前となる噴射開始タイミングに相当するクランク角度で、冷間始動時に必要な噴射総量の燃料の噴射を開始する。
【００８４】
図１６に示すように、筒内噴射式火花点火内燃機関Ｅにおいて冷間始動時にマルチ噴射を行う場合には、３分割された短い期間でインジェクタ１０から第２燃料噴霧１２が燃焼室Ｃ内に断続的に噴射される。
【００８５】
この場合には、冷間始動時に必要な噴射総量の燃料を一回で噴射する場合と比較して、３分割された短い期間内に噴射することとなり、１回毎の第２燃料噴霧１２の噴射量を３分の１に低減できる。このため、１回毎の第２燃料噴霧１２は、インジェクタ１０から短い期間内に噴射されることになるので、燃料の噴霧のペネトレーション（貫徹力）を低く抑えることができる。
【００８６】
すなわち、マルチ噴射する場合の第２燃料噴霧１２では、個々の噴霧期間が短くなることで噴霧のペネトレーションが低下することにより、第２キャビティ２２にガイドされて点火プラグ１３の近傍に至るまでの間に燃焼室Ｃにおけるピストン２の頂面及びシリンダボア１の排気側内壁面に燃料が付着することを減少させることができる。よって、第２燃料噴霧１２をマルチ噴射する場合には、燃焼室Ｃの内壁面に燃料が付着することを減少し、未燃ＨＣ（炭化水素）の発生を抑制すると共に、スモークの発生を抑制できる。
【００８７】
なお、上述した本第２実施の形態における以上説明した以外の構成、作用、効果は、前述した第１実施の形態と同様であるので、同一部材には同一符号を付して説明の便に供すると共に、重複する説明を省略する。
【００８８】
本発明は、上述した実施の形態に限定されるものではなく、本発明の要旨を逸脱しない範囲で、その他種々の構成を採り得ることは勿論である。
【図面の簡単な説明】
【００８９】
【図１】本発明の筒内噴射式火花点火内燃機関の第１実施の形態に係る、一つの気筒の要部を取り出して示す断面概略構成図である。
【図２】本発明の筒内噴射式火花点火内燃機関の第１実施の形態に係る、ピストン部分を取り出して示す斜視図である。
【図３】本発明の筒内噴射式火花点火内燃機関の第１実施の形態に係る、ピストンを取り出して示す平面図である。
【図４】本発明の筒内噴射式火花点火内燃機関の第１実施の形態に係る、ピストンを取り出して示す側面図である。
【図５】本発明の筒内噴射式火花点火内燃機関の第１実施の形態に係る、全負荷運転時の気筒内でインジェクタから第１燃料噴霧を噴射している状態を示す断面概略説明図である。
【図６】本発明の筒内噴射式火花点火内燃機関の第１実施の形態に係る、全負荷運転時の気筒内でインジェクタから第１燃料噴霧を噴射している状態を平面で示す概略説明図である。
【図７】本発明の筒内噴射式火花点火内燃機関の第１実施の形態に係るインジェクタの先端から第１燃料噴霧を噴射する状態を示す要部の断面概略説明図である。
【図８】本発明の筒内噴射式火花点火内燃機関の第１実施の形態に係るインジェクタの先端から６本の第１燃料噴霧を噴射する状態を示す要部の概略正面図である。
【図９】本発明の筒内噴射式火花点火内燃機関の第１実施の形態に係る、全負荷運転時の気筒内でインジェクタから第２燃料噴霧を噴射している状態を示す断面概略説明図である。
【図１０】本発明の筒内噴射式火花点火内燃機関の第１実施の形態に係る、全負荷運転時の気筒内でインジェクタから第２燃料噴霧を噴射している状態を平面で示す概略説明図である。
【図１１】本発明の筒内噴射式火花点火内燃機関の第１実施の形態に係るインジェクタの先端から第２燃料噴霧を噴射する状態を示す要部の断面概略説明図である。
【図１２】本発明の筒内噴射式火花点火内燃機関の第１実施の形態に係るインジェクタの先端から１本の第２燃料噴霧を噴射する状態を示す要部の概略正面図である。
【図１３】本発明の筒内噴射式火花点火内燃機関の第１実施の形態に係る、全負荷運転時の気筒内でインジェクタから第２燃料噴霧を、他の構成の第２キャビティへ向けて噴射している状態を示す断面概略説明図である。
【図１４】本発明の筒内噴射式火花点火内燃機関の第２実施の形態に係る、インジェクタからマルチ噴射で燃料を噴射する場合の噴射タイミングを通常の噴射と比較して示すマルチ噴射ダイアグラムの線図である。
【図１５】本発明の筒内噴射式火花点火内燃機関の第２実施の形態に係るインジェクタから第１燃料噴霧をマルチ噴射で噴射する状態を示す要部の概略正面図である。
【図１６】本発明の筒内噴射式火花点火内燃機関の第２実施の形態に係るインジェクタから第２燃料噴霧をマルチ噴射で噴射する状態を示す要部の概略正面図である。
【符号の説明】
【００９０】
１  シリンダボア
２  ピストン
３  シリンダブロック
４  シリンダヘッド
１０  インジェクタ
１１  第１燃料噴霧
１２  第２燃料噴霧
１３  点火プラグ
１７  第１噴孔
２０  第２噴孔
２１  第１キャビティ
２２  第２キャビティ
２２Ａ  噴霧反転用湾曲部
Ｃ  燃焼室
【図１】
2008157197.tif 000003
【図２】
2008157197.tif 000004
【図３】
2008157197.tif 000005
【図４】
2008157197.tif 000006
【図５】
2008157197.tif 000007
【図６】
2008157197.tif 000008
【図７】
2008157197.tif 000009
【図８】
2008157197.tif 000010
【図９】
2008157197.tif 000011
【図１０】
2008157197.tif 000012
【図１１】
2008157197.tif 000013
【図１２】
2008157197.tif 000014
【図１３】
2008157197.tif 000015
【図１４】
2008157197.tif 000016
【図１５】
2008157197.tif 000017
【図１６】
2008157197.tif 000018